(57)【要約】【課題】  ＲＡＩＤ装置の出荷試験に関し、より詳細にはＲＡＩＤ装置のディスクコントローラを従来の試験用コンピュータと代替し、他のＲＡＩＤ装置に対して試験の実施を行うＲＡＩＤ試験システム、ＲＡＩＤ試験プログラムおよびＲＡＩＤ試験方法に関する。【解決手順】  本発明は、第１のディスクコントローラがネットワークを介してローディングした試験プログラムにより第２のディスクコントローラとそのディスクユニットの試験を行い、試験終了後は第２のディスクコントローラが第１のディスクコントローラとディスクユニットとを試験するよう構成する。【選択図】    図１
2007128423.tif 000002
【特許請求の範囲】
【請求項１】
第１と第２のディスクコントローラがネットワークを介してコンピュータと接続し、該第１と第２のディスクコントローラとのチャネルを相互に接続したＲＡＩＤ試験システムであって、
前記第１のディスクコントローラは、
前記コンピュータからディスクコントローラと該ディスクコントローラ配下のディスクユニットとを試験する試験プログラムをダウンロードする第１試験プログラムダウンロード手段と、
前記試験プログラムを実行して前記第２のディスクコントローラと該第２のディスクコントローラ配下のディスクユニットに対して試験を実施する第１試験実施手段と、
前記試験の終了に伴い、試験結果を前記コンピュータに送信する第１試験結果送信手段とを有し、
前記第２のディスクコントローラは、
前記コンピュータの前記試験結果の受信を契機に、該コンピュータから前記試験プログラムをダウンロードする第２試験プログラムダウンロード手段と、
前記試験プログラムを実行して前記第１のディスクコントローラと該第１のディスクコントローラ配下のディスクユニットに対して試験を実施する第２試験実施手段と、
前記試験の終了に伴い、試験結果を前記コンピュータに送信する第２の試験結果送信手段と、
を有することを特徴とするＲＡＩＤ試験システム。
【請求項２】
複数のディスクコントローラの１台がネットワークを介してコンピュータと接続し、該１台のディスクコントローラと残りのディスクコントローラとのチャネルをスイッチを介して接続したＲＡＩＤ試験システムであって、
前記１台のディスクコントローラは、
前記コンピュータからディスクコントローラと該ディスクコントローラ配下のディスクユニットとを試験する試験プログラムをダウンロードする試験プログラムダウンロード手段と、
前記試験プログラムを実行して、前記残りのディスクコントローラと該残りのディスクコントローラ配下のディスクユニットに対して前記スイッチを切り替えて順次試験を実施する試験実施手段と、
前記試験の終了の度に、試験結果を前記コンピュータに送信する試験結果送信手段と、
を有することを特徴とするＲＡＩＤ試験システム。
【請求項３】
第１と第２のディスクコントローラがネットワークを介してコンピュータと接続し、該第１と第２のディスクコントローラとのチャネルを相互に接続したＲＡＩＤ試験システムのＲＡＩＤ試験プログラムであって、
前記第１のディスクコントローラを、
前記コンピュータからディスクコントローラと該ディスクコントローラ配下のディスクユニットとを試験する試験プログラムをダウンロードする第１試験プログラムダウンロード手段と、
前記試験プログラムを実行して前記第２のディスクコントローラと該第２のディスクコントローラ配下のディスクユニットに対して試験を実施する第１試験実施手段と、
前記試験の終了に伴い、試験結果を前記コンピュータに送信する第１試験結果送信手段として機能させ、
前記第２のディスクコントローラを、
前記コンピュータの前記試験結果の受信を契機に、該コンピュータから前記試験プログラムをダウンロードする第２試験プログラムダウンロード手段と、
前記試験プログラムを実行して前記第１のディスクコントローラと該第１のディスクコントローラ配下のディスクユニットに対して試験を実施する第２試験実施手段と、
前記試験の終了に伴い、試験結果を前記コンピュータに送信する第２の試験結果送信手段
として機能させるためのＲＡＩＤ試験プログラム。
【請求項４】
第１と第２のディスクコントローラがネットワークを介してコンピュータと接続し、該第１と第２のディスクコントローラとのチャネルを相互に接続したＲＡＩＤ試験方法であって、
前記第１のディスクコントローラは、
前記コンピュータからディスクコントローラと該ディスクコントローラ配下のディスクユニットとを試験する試験プログラムをダウンロードする第１試験プログラムダウンロード手順と、
前記試験プログラムを実行して前記第２のディスクコントローラと該第２のディスクコントローラ配下のディスクユニットに対して試験を実施する第１試験実施手順と、
前記試験の終了に伴い、試験結果を前記コンピュータに送信する第１試験結果送信手順とを有し、
前記第２のディスクコントローラは、
前記コンピュータの前記試験結果の受信を契機に、該コンピュータから前記試験プログラムをダウンロードする第２試験プログラムダウンロード手順と、
前記試験プログラムを実行して前記第１のディスクコントローラと該第１のディスクコントローラ配下のディスクユニットに対して試験を実施する第２試験実施手順と、
前記試験の終了に伴い、試験結果を前記コンピュータに送信する第２の試験結果送信手順と、
を有することを特徴とするＲＡＩＤ試験方法。
【請求項５】
複数のディスクコントローラの１台がネットワークを介してコンピュータと接続し、該１台のディスクコントローラと残りのディスクコントローラとのチャネルをスイッチを介して接続したＲＡＩＤ試験方法であって、
前記１台のディスクコントローラは、
前記コンピュータからディスクコントローラと該ディスクコントローラ配下のディスクユニットとを試験する試験プログラムをダウンロードする試験プログラムダウンロード手順と、
前記試験プログラムを実行して、前記残りのディスクコントローラと該残りのディスクコントローラ配下のディスクユニットに対して前記スイッチを切り替えて順次試験を実施する試験実施手順と、
前記試験の終了の度に、試験結果を前記コンピュータに送信する試験結果送信手順と、
を有することを特徴とするＲＡＩＤ試験方法。
【請求項６】
第１と第２のディスクコントローラがネットワークを介してコンピュータと接続し、該第１と第２のディスクコントローラとのチャネルを相互に接続したＲＡＩＤ試験方法であって、
前記第１のディスクコントローラは、
ディスクコントローラと該ディスクコントローラ配下のディスクユニットとを試験する試験プログラムを記憶した第１試験プログラム記憶手順と、
前記試験プログラムを実行して前記第２のディスクコントローラと該第２のディスクコントローラ配下のディスクユニットに対して試験を実施する第１試験実施手順と、
前記試験の終了に伴い、試験結果を前記コンピュータに送信する第１試験結果送信手順とを有し、
前記第２のディスクコントローラは、
前記試験プログラムを記憶した第２試験プログラム記憶手順と、
前記試験プログラムを実行して前記第１のディスクコントローラと該第１のディスクコントローラ配下のディスクユニットに対して試験を実施する第２試験実施手順と、
前記試験の終了に伴い、試験結果を前記コンピュータに送信する第２の試験結果送信手順と、
を有することを特徴とするＲＡＩＤ試験方法。
【発明の詳細な説明】
【技術分野】
【０００１】
本発明は、ＲＡＩＤ装置の出荷試験に関し、より詳細にはＲＡＩＤ装置のディスクコントローラを従来の試験用コンピュータと代替し、他のＲＡＩＤ装置に対して試験の実施を行うＲＡＩＤ試験システム、ＲＡＩＤ試験プログラムおよびＲＡＩＤ試験方法に関する。
【背景技術】
【０００２】
ハードディスク（以降、ディスクと言う）の大容量化は近年において急速に進展しつつあり、それに伴ってディスク障害の影響は大きくなっている。ディスク障害の最大の影響はデータ消失であるが、ディスク障害によるシステム停止に伴うビジネスチャンスの損失も無視できないものがある。
【０００３】
このようなディスクの大容量化とそれに伴う障害への対応、さらには処理性能を向上させる技術としてＲＡＩＤ（Redundant Arrays of Inexpensive Disks）による手法が知られている。ＲＡＩＤは複数のディスクを組み合わせて、冗長化した１台のディスクとして管理する技術であり、ディスクアレイとも称されている。ＲＡＩＤ装置は、ディスクコントローラとその配下のディスクユニットで構成し、制御するディスクユニットは数台から数十台が一般的である。大規模システムでは数百台のディスクを制御するものもある。
【０００４】
ＲＡＩＤ装置の出荷試験は、試験用のコンピュータであるサーバと被試験のＲＡＩＤ装置とを１：１でチャネル間の接続を行い、サーバに格納した試験プログラムを用いて試験データをＲＡＩＤ装置に送りディスクコントローラ及びディスクユニットの試験を行う。また、1台のサーバに対してＮ台のＲＡＩＤ装置をスイッチを介して切り替え、試験を行うことも行われている。図７は４台のＲＡＩＤ装置（１つの筐体に２台のＲＡＩＤ装置を配置した構成）をスイッチで切り替え試験を行う例を示している。出荷試験は例えばコントローラではキャッシュ等ユーザ領域を、ディスクユニットでは全領域に対してRead/Write試験を行う。
【０００５】
ＲＡＩＤ装置の試験方法として、ＲＡＩＤ装置内に診断プログラムを記憶させておき、端末からの指示に基づいて診断プログラムを起動し、ＲＡＩＤ装置自身のハードウェア部品の良否診断を行い、その診断結果を出力する試験方法が提案さている（例えば、特許文献１）。
【特許文献１】特開２００３−１６７７９７号公報
【発明の開示】
【発明が解決しようとする課題】
【０００６】
上記に示したようにＲＡＩＤ装置の試験においては、サーバに試験プログラムを格納し、サーバから試験データを接続したＲＡＩＤ装置に送ってＲＡＩＤ装置のディスクコントローラとその配下のディスクユニットとを試験する。一般に効率的にＲＡＩＤ装置の試験を行う必要からサーバとＲＡＩＤ装置を１：Ｎに接続して試験を実施する場合が多いが、サーバからのデータ転送量には限界があるので、試験されるＲＡＩＤ装置にかけられるべき負荷が制限されたり、また試験時間が１：１に較べて長くなる問題がある。サーバとＲＡＩＤ装置との１：１の接続はＲＡＩＤ装置にかける負荷は高くなるが、そのためには多くのサーバの台数を必要とし試験コストが高くなる、と言う問題が起る。
【０００７】
このような課題に対処するために提案された特許文献１は、サーバ（特許文献１ではホスト）を不要としてＲＡＩＤ装置自身が試験プログラムを実行することができるが、配下のディスクユニットのみの試験には有効と考えるが、ディスクコントローラ自体の試験はどこまでの試験が行えるかに不安がある。例えば、コンピュータとＲＡＩＤ装置と接続するチャネルの試験、およびコンピュータからのコマンドで動作する動作確認などである。
【０００８】
本発明は、ＲＡＩＤ装置の出荷試験において試験専用のサーバを不要としながら（即ち、低試験コストで）従来と同様の品質試験の実施ができるＲＡＩＤ試験システム、ＲＡＩＤ試験プログラム及びＲＡＩＤ試験方法を提供することを目的とする。
【課題を解決するための手段】
【０００９】
本発明のＲＡＩＤ試験システム、ＲＡＩＤ試験プログラム及びＲＡＩＤ試験方法は以下のように構成される。
（１）第１の発明
第１の発明は、第１のディスクコントローラにダウンロードした試験プログラムにより第２のディスクコントローラとその配下のディスクユニットを試験し、試験終了とともに第２のディスクコントローラに試験プログラムをダウンロードして第１ディスクコントローラとその配下のディスクユニットとを試験を行うものである。
【００１０】
その原理を図１を用いて説明する。第１の発明は、第１と第２のディスクコントローラがネットワークを介してコンピュータに接続し、第１と第２のディスクコントローラのチャネルを相互に接続した状態で、ＲＡＩＤ試験システムは第１試験プログラムダウンロード手段１０、第１試験実施手段２０、第１試験結果送信手段３０、第２試験プログラムダウンロード手段４０、第２試験実施手段５０および第２試験結果送信手段６０の構成要素で構成する。これらの構成要素うち第１のディスクコントローラは、第１試験プログラムダウンロード手段１０〜第１試験結果送信手段３０で構成し、第２のディスクコントローラは第２試験プログラムダウンロード手段４０〜第２試験結果送信手段６０で構成する。次に、個々の構成要素について説明する。
【００１１】
第１試験プログラムダウンロード手段１０は、第１のディスクコントローラがネットワークを介してコンピュータから試験プログラムをダウンロードする。この試験プログラムは、ディスクコントローラとその配下のディスクユニットを試験するプログラムである。
【００１２】
第１試験実施手段２０は、ダウンロードした試験プログラムを実行して第２のディスクコントローラとその配下のディスクユニットとを試験する。
【００１３】
第１試験結果送信手段３０は、第１試験実施手段２０で行った第２のディスクコントローラとそのディスクユニットに対する試験結果をコンピュータに送信する。
【００１４】
第２試験プログラムダウンロード手段４０は、第２のディスクコントローラがコンピュータから試験プログラムをダウンロードする。この試験プログラムのダウンロードの契機は、コンピュータが第１のディスクコントローラから試験結果を受信した後である。
【００１５】
第２試験実施手段５０は、ダウンロードした試験プログラムを実行して第１のディスクコントローラとその配下のディスクユニットとを試験する。
【００１６】
第２試験結果送信手段６０は、第２試験実施手段５０で行った第１のディスクコントローラとそのディスクユニットに対する試験結果をコンピュータに送信する。
【００１７】
上記の構成により、一方のＲＡＩＤ装置のディスクコントローラにより他方のＲＡＩＤ装置の試験を行い、その試験が終了すると逆に他方のＲＡＩＤ装置が一方のＲＡＩＤ装置の試験を行う。従って、ディスクの試験はＲＡＩＤ装置が交互に行うのでコンピュータは試験プログラムをＲＡＩＤ装置に送信することと試験結果を受信することだけでよく、従来に較べてコンピュータの負荷は大幅に軽減される。
（２）第２の発明
第２の発明は、１台のＲＡＩＤ装置のディスクコントローラでスイッチを切り替えて複数のＲＡＩＤ装置の試験を行うものである。
【００１８】
その原理を図２を用いて説明する。第2の発明は、複数のディスクコントローラの内の１台のディスクコントローラがネットワークを介してコントローラに接続し、その1台のディスクコントローラと残りのディスクコントローラのチャネルをスイッチを介して接続した状態で、ＲＡＩＤ試験システムは試験プログラムダウンロード手段７０、試験実施手段８０および試験結果送信手段９０の構成要素で構成する。
【００１９】
試験プログラムダウンロード手段７０は、1台のディスクコントローラがコンピュータから試験プログラムをダウンロードする。この試験プログラムは、ディスクコントローラとその配下のディスクユニットを試験するプログラムである。
【００２０】
試験実施手段８０は、ダウンロードした試験プログラムを実行して残りのディスクコントローラとその配下のディスクユニットとを試験する。残りのディスクコントローラは1台以上あり、試験を終了する度にスイッチを切り替えて順次試験を実施する。
【００２１】
試験結果送信手段９０は、試験実施手段８０で行った残りのディスクコントローラとそのディスクユニットに対する試験結果を試験終了の度にコンピュータに送信する。
【００２２】
上記の構成により、１台のＲＡＩＤ装置のディスクコントローラにより１台以上のＲＡＩＤ装置をスイッチを切り替えて試験を行う。従って、ディスクの試験はＲＡＩＤ装置のディスクコントローラが行うのでコンピュータは試験プログラムをＲＡＩＤ装置に送信することと試験結果を受信することだけでよく、従来に較べてコンピュータの負荷は大幅に軽減される。
（３）第３の発明
第３の発明は、第１の発明のＲＡＩＤ試験プログラムである。
（４）第４の発明
第４の発明は、第１の発明のＲＡＩＤ試験方法である。
（５）第５の発明
第５の発明は、第２の発明のＲＡＩＤ試験方法である。
（６）第６の発明
第６の発明は、第１のディスクコントローラに記憶した試験プログラムにより第２のディスクコントローラとその配下のディスクユニットを試験し、試験終了とともに第２のディスクコントローラに記憶した試験プログラムにより第１ディスクコントローラとその配下のディスクユニットとを試験を行うものである。
【００２３】
第６の発明は、第１の発明が第１試験プログラムダウンロード手段１０および第２試験プログラムダウンロード手段４０で試験プログラムをコンピュータからダウンロードしていたものを、それぞれ第１試験プログラム記憶手段と第２試験プログラム記憶手段により予め記憶した試験プログラムにより試験の実施を行うものである。他は第１の発明と同様であるので説明は省略する。
【発明の効果】
【００２４】
第１の発明により、２台のＲＡＩＤ装置が互いに試験を行うので試験専用のコンピュータ、スイッチ等の設備は不要になり、低試験コストのＲＡＩＤ試験システムの提供が可能となる。
【００２５】
第２の発明により、１台のＲＡＩＤ装置で複数台のＲＡＩＤ装置の試験を行うので、試験専用のコンピュータは不要になり、低試験コストのＲＡＩＤ試験システムの提供が可能となる。
【００２６】
第３〜第５の発明により、低試験コストのＲＡＩＤ試験プログラムとＲＡＩＤ試験方法の提供が可能となる。
【００２７】
第６の発明により、コンピュータは送信された試験結果を表示するだけで良いので、コンピュータの負荷が軽い低試験コストのＲＡＩＤ試験方法の提供が可能となる。
【発明を実施するための最良の形態】
【００２８】
本発明の実施例について図３から図６を用いて説明する。
【００２９】
（第１の実施例）
まず最初にＲＡＩＤ装置の構成例を図３を用いて説明する。図３において、ＲＡＩＤ装置１００は、ディスクコントローラ１１０とディスクユニット１２０で構成する。ディスクコントローラ１１０は更にディスクユニット１２０やメモリとデータやコマンドを制御する制御部１１１、通常のＲＡＩＤ装置を制御する制御プログラムやＲＡＩＤ装置の試験プログラム（後述するＰＣからダウンロードした試験プログラム）がローディングされ実行するメモリ１１２、コンピュータとのチャネル接続を行うチャネルＩＦ（インターフェース）１１３およびＬＡＮとの接続を行うＥｔｈｅｒ  ＩＦ１１４から構成する。Ｅｔｈｅｒ  ＩＦ１１４は、Ｅｔｈｅｒｎｅｔ（商標登録）用のインターフェースである。また、コントローラ１１０はチャネルＩＦ１１３の他にディスクユニット１２０とのインターフェースであるディスクドライブ用のチャネルインターフェースを持つが、発明に関係しないので省略してある。従って、ここでのチャネルＩＦは外部コンピュータとのデータやコマンドの遣り取りを行うチャネルのことを言う。ディスクユニット１２０は複数のディスクユニットで構成される。
【００３０】
次に試験システムの構成例を図４を用いて説明する。ＲＡＩＤ装置−Ａ１０１とＲＡＩＤ装置−Ｂ１０２は、図３に示す構成のものであり、それぞれはＬＡＮ１３０にＥｔｈｅｒ  ＩＦを介して接続している。そして、ＬＡＮ１３０にはＰＣ（パーソナルコンピュータ）を接続している。また、ＲＡＩＤ装置−Ａ１０１とＲＡＩＤ装置−Ｂ１０２のチャネルＩＦ間は相互に接続している。ＲＡＩＤ装置−Ａ１０１のメモリにはＰＣ１４０からＬＡＮを介して試験プログラムがダウンロードされており、ＲＡＩＤ装置−Ｂ１０１のメモリには通常のディスクコントローラとしての制御プログラムが格納されている。この状態で、ＲＡＩＤ装置−Ａ１０１はＲＡＩＤ装置−Ｂ１０２に対してディスクコントローラとディスクユニットの試験を実施する。試験終了後はＲＡＩＤ装置−Ｂ１０２に試験プログラムがダウンロードされＲＡＩＤ装置−Ａ１０１に対する試験を実施する。試験結果はＲＡＩＤ装置−Ａ１０１とＲＡＩＤ装置−Ｂ１０２のそれぞれからＬＡＮを介してＰＣ１４０に送信される。図４の点線は、試験用のデータやコマンドがチャネルを介して遣り取りされることを示している。
【００３１】
次に、図４の試験システムの構成によるＲＡＩＤ試験の処理フロー例を図５を用いて説明する。図５は、左からＰＣ１４０とＲＡＩＤ装置−Ａ１０１およびＲＡＩＤ装置−Ｂ１０２の処理を示している。先ず、ＰＣ１４０からＰＣ１４０が記憶している試験プログラムをＲＡＩＤ装置−Ａ１０１にＬＡＮ１３０を介して送信する（Ｓ１００）。
【００３２】
ＲＡＩＤ装置−Ａ１０１はＰＣ１４０から送信された試験プログラムを受信し、ディスクコントローラのメモリ上にローディグする。ローディグが終了するとともに試験プログラムは実行に移り、ＲＡＩＤ装置−Ｂ１０２のデータコントローラに対して試験を行う。続いて、ＲＡＩＤ装置−Ｂ１０２のディスクユニットに対して試験を行い試験結果をＰＣ１４０に対して送信する（Ｓ１１０〜Ｓ１５０）。
【００３３】
ＰＣ１４０は、ＲＡＩＤ装置−Ａ１０１から送信されたＲＡＩＤ装置−Ｂ１０２に対する結果を受信し、続いてＲＡＩＤ装置−Ｂ１０２に対して試験プログラムを送信する（Ｓ１６０、Ｓ１７０）。
【００３４】
ＲＡＩＤ装置−Ｂ１０２はＰＣ１４０から送信された試験プログラムを受信し、ディスクコントローラのメモリ上にローディグする。ローディグが終了するとともに試験プログラムは実行に移り、ＲＡＩＤ装置−Ａ１０１のデータコントローラに対して試験を行う。続いて、ＲＡＩＤ装置−Ａ１０１のディスクユニットに対して試験を行い試験結果をＰＣ１４０に対して送信する（Ｓ１８０〜Ｓ２２０）。
【００３５】
ＰＣ１４０は、ＲＡＩＤ装置−Ｂ１０２から送信されたＲＡＩＤ装置−Ｂ１０２に対する結果を受信し、試験を終了する（Ｓ２３０）。
【００３６】
ＰＣ１４０は受信した試験結果を何らかの形で出力（ディスプレイ表示あるいはプリントアウト等）し、試験担当者はこの結果を見て対処することになる。
【００３７】
上記の処理フローは、最初に試験担当者がコンピュータにＲＡＩＤ−Ａ１０１へのダウンロードを指示すると、以降の処理は自動的に処理が推移して行くようプログラムされているものとする。
【００３８】
（第２の実施例）
第２の実施例は、１台のＲＡＩＤ装置が複数台のＲＡＩＤ装置の試験を行う例である。図６は第２の実施例の構成例を示すもので、ＲＡＩＤ装置−Ａ１０１がＲＡＩＤ装置−Ｂ１０２〜ＲＡＩＤ装置−Ｄ１０４の３台の試験を行う状態を示している。ＲＡＩＤ装置−Ａ１０１〜ＲＡＩＤ装置−Ｄ１０４は図３に示すものと同じ構成を持つものとする。ＲＡＩＤ装置−Ａ１０１のＥｔｈｅｒ  ＩＦはＬＡＮ１３０を介してＰＣ１４０と接続し、チャネルＩＦはスイッチ１５０を介してＲＡＩＤ装置−Ｂ１０２〜ＲＡＩＤ装置−Ｄ１０４のそれぞれのチャネルＩＦと接続している。また、ＲＡＩＤ装置−Ａ１０１のメモリにはＰＣ１４０からダウンロードした試験プログラムがローディグされ、ＲＡＩＤ装置−Ｂ１０２〜ＲＡＩＤ装置−Ｄ１０４のそれぞれのメモリには通常のディスクコントローラとしての制御プログラムが格納されている。
【００３９】
初めにスイッチ１５０をＲＡＩＤ装置−Ｂ１０２と接続するようにして試験プログラムを実行し、ＲＡＩＤ装置−Ｂ１０２のディスクコントローラおよびそのディスクユニットに対して試験を行う。その試験結果はＬＡＮ１３０を介してＲＡＩＤ装置−Ａ１０１からＰＣ１４０に送信される。図６の点線はＲＡＩＤ装置−Ｂ１０２に対してＲＡＩＤ装置−Ａ１０１からデータやコマンド遣り取りされている状態を示している。
【００４０】
次に、スイッチ１５０をＲＡＩＤ装置−Ｃ１０３と接続するようにして試験を行い、その結果をＰＣ１５４０に送信する。最後にスイッチ１５０をＲＡＩＤ装置−Ｄ１０４と接続し同様に試験を行い、試験結果をＰＣ１４０に送信する。
【００４１】
上記のように構成することにより、１台のＲＡＩＤ装置で複数台のＲＡＩＤ装置の試験を行うことができる。
【００４２】
第１および第２の実施例では、試験プログラムをコンピュータからダウンロードよう構成しているが、例えば試験プログラムを記憶したＲＯＭ等をＲＡＩＤ装置に具備するようにし、その試験プログラムを実行させるようにしてもよい。
【図面の簡単な説明】
【００４３】
【図１】第１の発明の原理図である。
【図２】第２の発明の原理図である。
【図３】ＲＡＩＤ措置の構成例（第１の実施例）である。
【図４】ＲＡＩＤ試験システムの構成例（第１の実施例）である。
【図５】ＲＡＩＤ試験の処理フロー例（第１の実施例）ある。
【図６】ＲＡＩＤ試験システムの構成例（第２の実施例）である。
【図７】従来のＲＡＩＤ試験システム例である。
【符号の説明】
【００４４】
１０    第１試験プログラムダウンロード手段
２０    第１試験実施手段
３０    第１試験結果送信手段
４０    第２試験プログラムダウンロード手段
５０    第２試験実施手段
６０    第２試験結果送信手段
７０    試験プログラムダウンロード手段
８０    試験実施手段
９０    試験結果送信手段
１００  ＲＡＩＤ装置
１０１  ＲＡＩＤ装置−Ａ
１０２  ＲＡＩＤ装置−Ｂ
１０３  ＲＡＩＤ装置−Ｃ
１０４  ＲＡＩＤ装置−Ｄ
１１０  ディスクコントローラ
１１１  制御部
１１２  メモリ
１１３  チャネルＩＦ
１１４  Ｅｔｈｅｒ  ＩＦ
１２０  ディスクユニット
１２１  ネットワーク
１３０  ＬＡＮ
１４０  ＰＣ
１５０  スイッチ
【図１】
2007128423.tif 000003
【図２】
2007128423.tif 000004
【図３】
2007128423.tif 000005
【図４】
2007128423.tif 000006
【図５】
2007128423.tif 000007
【図６】
2007128423.tif 000008
【図７】
2007128423.tif 000009